(57)【要約】      （修正有）【課題】構造が合理的で、信頼性があり、連続的紙送りの効率を向上させる紙詰まり又は用紙損傷を防止する紙送り装置を提供する。【解決手段】紙詰まり又は用紙損傷を防止する紙送り装置１００は、紙送り通路の開始位置に設けられている用紙ピックアップローラー機構５０、及び用紙分離機構４０を有する。用紙ピックアップローラー機構は、第２用紙ピックアップユニット及び第３用紙ピックアップユニットを有する。第２用紙ピックアップユニットは、第２用紙ピックアップローラー軸、及び第２伝動歯車を有する。第３用紙ピックアップユニットは、用紙分離機構の下側に設けられ、第３用紙ピックアップローラー軸３１及び第３伝動歯車を有する。第２伝動歯車及び第３伝動歯車の外側にガイドベルト７０を設けることで、紙送りの安定性を向上し、用紙の先端が曲がる可能性を低減できる。【選択図】図３
0003234800.tif 000002
【実用新案登録請求の範囲】
【請求項１】
紙送り通路の開始位置に設けられている用紙ピックアップローラー機構と、前記用紙ピックアップローラー機構の後側且つ前記紙送り通路の上側に設けられている用紙分離機構とを有する紙詰まり又は用紙損傷を防止する紙送り装置であって、
前記用紙ピックアップローラー機構は、紙送り通路の開始位置に設けられている第１用紙ピックアップユニットと、前記第１用紙ピックアップユニットの後側に設けられている第２用紙ピックアップユニットと、前記用紙分離機構の下側且つ前記第２用紙ピックアップユニットの後側に設けられている第３用紙ピックアップユニットと、ガイドベルトとを有し、
前記第１用紙ピックアップユニットは、紙送り方向と垂直する第１用紙ピックアップローラー軸と、それぞれ前記第１用紙ピックアップローラー軸の両端に設けられている２つの第１用紙ピックアップローラーと、前記第１用紙ピックアップローラー軸の中央に設けられている第１伝動歯車とを有し、
前記第２用紙ピックアップユニットは、前記第１用紙ピックアップローラー軸と平行に設けられている第２用紙ピックアップローラー軸と、それぞれ前記第２用紙ピックアップローラー軸の両端に設けられている２つの第２用紙ピックアップローラーと、前記第２用紙ピックアップローラー軸の中央に設けられて前記第１伝動歯車と噛み合う第２伝動歯車とを有し、
前記第３用紙ピックアップユニットは、第３用紙ピックアップローラー軸と、それぞれ前記第３用紙ピックアップローラー軸の両端に設けられている２つの第３用紙ピックアップローラーと、前記第３用紙ピックアップローラー軸の中央に設けられている第３伝動歯車とを有し、
前記ガイドベルトは、前記第２伝動歯車及び前記第３伝動歯車の外側に設けられている、
ことを特徴とする、
紙詰まり又は用紙損傷を防止する紙送り装置。
【請求項２】
前記用紙分離機構は、前記第３用紙ピックアップローラー軸と平行に設けられている用紙分離ローラー軸と、それぞれ前記用紙分離ローラー軸の両端に設けられている２つの用紙分離ローラーとを有し、
前記用紙分離ローラーは、その幅が前記第３用紙ピックアップローラーの幅より小さく、その外側に紙送りガイドホルダーが設けられており、
前記紙送りガイドホルダーは、２つのピンシャフトと、２つのねじりばねと、ガイドプレートとを有し、
前記ピンシャフトは、前記用紙分離ローラー軸と平行に設けられて本体の上ケーシングに固定され、且つ前記用紙分離ローラー軸の前側である用紙の進入側に設けられており、
前記ガイドプレートは、Ｌ状になって、２つの前記用紙分離ローラーの間に設けられており、その底部に凸弧状の外縁を有し、そのＬ状の湾曲部が丸角になって紙送り側に向かって、その後端にシャフト穴が開設されており、
前記ねじりばねは、それぞれ前記ピンシャフトにヒンジ連結されており、進入した用紙が前記用紙分離機構にスムーズに入るように当該用紙を押し下げて案内する、
ことを特徴とする、
請求項１に記載の紙詰まり又は用紙損傷を防止する紙送り装置。
【請求項３】
一番外側に設けられている前記第１用紙ピックアップローラーの幅は、前記第２用紙ピックアップローラーの幅より大きく、
前記第３用紙ピックアップローラーの幅は、前記第１用紙ピックアップローラーの幅より大きい、
ことを特徴とする、
請求項１に記載の紙詰まり又は用紙損傷を防止する紙送り装置。
【請求項４】
前記第２伝動歯車の径は、前記第３伝動歯車の径より小さく、
前記ガイドベルトは、紙送り方向に沿って上向に傾斜した面である、
ことを特徴とする、
請求項３に記載の紙詰まり又は用紙損傷を防止する紙送り装置。
【請求項５】
前記第２伝動歯車の径は、前記第３伝動歯車の径より小さく、
前記ガイドベルトは、紙送り方向に沿って上向に傾斜した面である、
ことを特徴とする、
請求項１に記載の紙詰まり又は用紙損傷を防止する紙送り装置。
【考案の詳細な説明】
【技術分野】
【０００１】
本考案は、紙詰まり又は用紙損傷を防止する紙送り装置であり、特に、構造が合理的に且つ信頼性があり、連続的紙送りの効率を向上させる紙詰まり又は用紙損傷を防止する紙送り装置に関する。
【背景技術】
【０００２】
従来のコピー機、複合機、用紙貯蔵式スキャナー等の機器は、複数の処理待ちの書類（用紙）を自動的且つ連続的に機器内に移転するために、オートー紙送り装置が設けられている。図１に示すように、このような装置は、用紙ピックアップローラー（Ｐ１、Ｐ２、Ｐ３）、用紙分離ローラーＰ４、及び他の部品を有する。
【０００３】
印刷又はスキャン等の作業を行う場合に、先ず、一枚又は複数枚のスキャン待ちの書類（用紙）を機器のオートー紙送り装置に入れて、図２に示すように、紙送り通路がオフ状態からオン状態に切り替え、用紙ピックアップローラー（Ｐ１、Ｐ２、Ｐ３）によって複数の紙面書類を順序に紙送り方向Ｃに沿って機器内に送る。その同時に、用紙分離ローラーＰ４の摩擦力によって２枚からＮ枚目のスキャン用紙面書類を止めさせることで、用紙分離との目的を達成できる。そのため、スキャン用書類（用紙）の先端が用紙分離ローラーＰ４に接触する部分に当該スキャン用紙面書類の移動方向とは逆方向の静摩擦力を受ける。Ａ４サイズ以下の薄い紙面書類の場合、紙自身が柔らかいため、その先端が用紙分離ローラーＰ４で曲がられてしまい、紙詰まり、用紙損傷等の問題が生じる虞がある。
【考案の概要】
【考案が解決しようとする課題】
【０００４】
そのため、構造が合理的に且つ信頼性があり、連続的紙送りの効率を向上させる詰まり又は用紙損傷を防止する紙送り装置が重要である。
【０００５】
本考案の目的は、上記従来技術の問題点を克服し、構造が合理的に且つ信頼性があり、連続的紙送りの効率を向上させる紙詰まり又は用紙損傷を防止する紙送り装置を提供する。
【課題を解決するための手段】
【０００６】
上記目的を実現するために、本考案の紙詰まり又は用紙損傷を防止する紙送り装置は、紙送り通路の開始位置に設けられている用紙ピックアップローラー機構と、前記用紙ピックアップローラー機構の後側且つ前記紙送り通路の上側に設けられている用紙分離機構とを有する。前記用紙ピックアップローラー機構は、紙送り通路の開始位置に設けられている第１用紙ピックアップユニットと、前記第１用紙ピックアップユニットの後側に設けられている第２用紙ピックアップユニットと、前記用紙分離機構の下側且つ前記第２用紙ピックアップユニットの後側に設けられている第３用紙ピックアップユニットと、ガイドベルトとを有する。前記第１用紙ピックアップユニットは、紙送り方向と垂直する第１用紙ピックアップローラー軸と、それぞれ前記第１用紙ピックアップローラー軸の両端に設けられている２つの第一用紙ピックアップローラーと、前記第１用紙ピックアップローラー軸の中央に設けられている第１伝動歯車とを有する。前記第２用紙ピックアップユニットは、前記第１用紙ピックアップローラー軸と平行に設けられている第２用紙ピックアップローラー軸と、それぞれ前記第２用紙ピックアップローラー軸の両端に設けられている２つの第２用紙ピックアップローラーと、前記第２用紙ピックアップローラー軸の中央に設けられて前記第１伝動歯車と噛み合う第２伝動歯車とを有する。前記第３用紙ピックアップユニットは、第３用紙ピックアップローラー軸と、それぞれ前記第３用紙ピックアップローラー軸の両端に設けられている２つの第３用紙ピックアップローラーと、前記第３用紙ピックアップローラー軸の中央に設けられている第３伝動歯車とを有する。前記ガイドベルトは、前記第２伝動歯車及び前記第３伝動歯車の外側に設けられている。
【０００７】
本考案において、前記用紙分離機構は、前記第３用紙ピックアップローラー軸と平行に設けられている用紙分離ローラー軸と、それぞれ前記用紙分離ローラー軸の両端に設けられている２つの用紙分離ローラーとを有する。前記用紙分離ローラーは、その幅が前記第３用紙ピックアップローラーの幅より小さく、その外側に紙送りガイドホルダーが設けられている。前記紙送りガイドホルダーは、２つのピンシャフトと、２つのねじりばねと、ガイドプレートとを有する。前記ピンシャフトは、前記用紙分離ローラー軸と平行に設けられて本体の上ケーシングに固定され、且つ前記用紙分離ローラー軸の前側である消耗品進入側に設けられている。前記ガイドプレートは、Ｌ状になって、２つの前記用紙分離ローラーの間に設けられており、その底部に凸弧状の外縁を有し、そのＬ状の湾曲部が丸角になって紙送り側に向かって、その後端にシャフト穴が開設されている。前記ねじりばねは、それぞれ前記ピンシャフトにヒンジ連結されており、進入した消耗品である用紙に対して前記用紙分離機構にスムーズに入るように押し下げて案内する。
【０００８】
本考案において、一番外側に設けられている前記第１用紙ピックアップローラーの幅は、前記第２用紙ピックアップローラーの幅より大きい。前記第３用紙ピックアップローラーの幅は、前記第１用紙ピックアップローラーの幅より大きい。
【０００９】
本考案において、前記第２伝動歯車の径は、前記第３伝動歯車の径より小さい。前記ガイドベルトは、紙送り方向に沿って上向に傾斜した面である。
【図面の簡単な説明】
【００１０】
【図１】従来のオートー紙送り装置の構造を示す模式図である。
【図２】従来のオートー紙送り装置の作業状態を示す模式図である。
【図３】本考案の紙詰まり又は用紙損傷を防止する紙送り装置の構造を示す模式図である。
【図４】実施例において、本考案の紙詰まり又は用紙損傷を防止する紙送り装置の構造を示す模式図である。
【図５】実施例において、本考案の紙詰まり又は用紙損傷を防止する紙送り装置を利用して複数枚の紙面書類を連続的に送る場合を示す模式図である。
【考案を実施するための形態】
【００１１】
以下、実施例及び図面を開示しながら本考案の技術内容、構造的な特徴、目的、及び効果を詳しく説明する。尚、本明細書において、「後側」とは用紙の移動方向側の相対的な位置を意味し、「前側」とはその反対を意味する。
【００１２】
図３及び図４のように、本考案の紙詰まり又は用紙損傷を防止する紙送り装置１００は、紙送り通路の開始位置に設けられている用紙ピックアップローラー機構５０、及び前記用紙ピックアップローラー機構５０の後側且つ前記紙送り通路の上側に設けられている用紙分離機構４０を有する。前記用紙ピックアップローラー機構５０は、紙送り通路の開始位置に設けられている第１用紙ピックアップユニット１０、前記第１用紙ピックアップユニット１０の後側に設けられている第２用紙ピックアップユニット２０、及び前記用紙分離機構４０の下側且つ前記第２用紙ピックアップユニット２０の後側に設けられている第３用紙ピックアップユニット３０を有する。前記第１用紙ピックアップユニット１０は、紙送り方向と垂直する第１用紙ピックアップローラー軸１１、それぞれ前記第１用紙ピックアップローラー軸１１の両端の設けられている２つの第１用紙ピックアップローラー１２、及び前記第１用紙ピックアップローラー軸１１の中央に設けられている第１伝動歯車１３を有する。前記第２用紙ピックアップユニット２０は、前記第１用紙ピックアップローラー軸１１と平行に設けられている第２用紙ピックアップローラー軸２１、それぞれ前記第２用紙ピックアップローラー軸２１の両端に設けられている２つの第２用紙ピックアップローラー２２、及び前記第２用紙ピックアップローラー軸２１の中央に設けられて前記第１伝動歯車１３と噛み合う第２伝動歯車２３を有する。前記第３用紙ピックアップユニット３０は、第３用紙ピックアップローラー軸３１、及びそれぞれ前記第３用紙ピックアップローラー軸３１の両端に設けられている２つの第３用紙ピックアップローラー３２を有する。
【００１３】
図３〜図５のように、前記用紙分離機構４０は、前記第３用紙ピックアップローラー軸３１と平行に設けられている用紙分離ローラー軸４１、及びそれぞれ前記用紙分離ローラー軸４１の両端に設けられている２つの用紙分離ローラー４２を有する。前記用紙分離ローラー４２は、その幅が前記第３用紙ピックアップローラー３２の幅より小さく、その外側に紙送りガイドホルダー６０が設けられている。前記紙送りガイドホルダー６０は、２つのピンシャフト６１、２つのねじりばね６２、及びガイドプレート６３を有する。前記ピンシャフト６１は、前記用紙分離ローラー軸４１と平行に設けられて本体の上ケーシング８０に固定され、且つ前記用紙分離ローラー軸４１の前側である用紙の進入側に設けられている。前記ガイドプレート６３は、Ｌ状になって、２つの前記用紙分離ローラー４２の間に設けられ、その底部に凸弧状の外縁を有し、そのＬ状の湾曲部が丸角によって紙の進入側（紙送りＣ方向とは逆方向）に向うことで、用紙を紙送りＣ方向にスムーズに移動できる。前記ガイドプレート６３の後端において、前記本体の上ケーシング８０の軸に対応するシャフト穴６３ａが開設される。前記ねじりばね６２は、前記ピンシャフト６１にヒンジ連結され、用紙が前記用紙分離機構４０にスムーズに入るように、進入した用紙を押し下げて案内する。
【００１４】
さらに、用紙ピックアップ及び用紙分離において、ロール面と用紙との摩擦力が向上するため、用紙ピックアップ及び用紙分離の作業効率を確保できる。図３を参照しながら説明する。好ましい実施例において、前記用紙ピックアップローラー機構５０の一番外側に設けられている前記第１用紙ピックアップローラー１２の幅は、前記第２用紙ピックアップローラー２２の幅より大きい。また、前記第３用紙ピックアップローラー３２の幅は、前記第１用紙ピックアップローラー１２の幅より大きい。
【００１５】
なお、紙送りの安定性を向上し、用紙の先端が曲がる可能性を低減するために、本実施例において、前記用紙ピックアップローラー機構５０は、前記第３用紙ピックアップユニット３０と前記第２用紙ピックアップユニット２０との間に設けられているガイドベルト７０を有する。前記ガイドベルト７０は、前記第２伝動歯車２３及び前記第３伝動歯車３３の外側に設けられている。前記第２伝動歯車２３の径は、前記第３伝動歯車３３の径より小さい。そのため、前記ガイドベルト７０は、紙送り方向に沿って上向に傾斜した面である。そして、前記第３用紙ピックアップローラー３３が主駆動輪であり、前記第２用紙ピックアップローラー２３が受動輪であり、前記紙送りガイドホルダー６０が前記ねじりばね６２のねじり力によって回って、用紙が前記ガイドプレート６３に接触した後、図５に示すように、前記ねじりばね６２によって元の位置に回る。
【００１６】
図５のように、本実施例において、前記ガイドベルト７０を利用して点ＡＢの間にスキャン用書類（紙面）を支持する平面を形成する。第２枚目からＮ枚目のスキャン用書類（紙面）を連続的に送る場合に、用紙をストップポイントＡに置いた後、たとえスキャン用紙面書類の厚さが４０ｇ／ｍ２以下で紙の剛性が弱い場合でも、用紙の先端が前記第３用紙ピックアップローラー３２又は前記用紙分離ローラー４２にぶつかりにくく、スムーズに紙送り通路に入ることができる。結果として、紙詰まり又は用紙損傷を防止する効果を達成できる。
【００１７】
本考案によれば、使用の過程において、従来の紙送り機構の歯車又はガイド輪紙送り等の用紙が曲がり、重なり易い問題に対して、中央にある前記ガイドベルト７０で形成した紙送りガイド通路を設ける。前記ガイドベルト７０は、用紙が進入したと上向に傾斜した面であるため、用紙の先端が曲がることによる用紙つまり又は用紙損傷などの問題を有効に防止できる。従来技術と比べ、構造が簡単で、操作が簡単で、安定性がある等の利点を有する。
【符号の説明】
【００１８】
１００  紙詰まり又は用紙損傷を防止する紙送り装置
１０  第１用紙ピックアップユニット
１１  第１用紙ピックアップローラー軸
１２  第１用紙ピックアップローラー
１３  第１伝動歯車
２０  第２用紙ピックアップユニット
２１  第２用紙ピックアップローラー軸
２２  第２用紙ピックアップローラー
２３  第２伝動歯車
３０  第３用紙ピックアップユニット
３１  第３用紙ピックアップローラー軸
３２  第３用紙ピックアップローラー
３３  第３伝動歯車
４０  用紙分離機構
４１  用紙分離ローラー軸
４２  用紙分離ローラー
５０  用紙ピックアップローラー機構
６０  紙送りガイドホルダー
６１  ピンシャフト
６２  ねじりばね
６３  ガイドプレート
６３ａ  シャフト穴
７０  ガイドベルト
８０  本体の上ケーシング
【図１】
0003234800.tif 000003
【図２】
0003234800.tif 000004
【図３】
0003234800.tif 000005
【図４】
0003234800.tif 000006
【図５】
0003234800.tif 000007